(57)【特許請求の範囲】
【請求項１】
胴体部と、胴体部表面上を上下方向に移動可能な顔面部と、
前記胴体部内を上下方向に移動可能であり、かつ前記顔面部と弾性部材を介して接続された移動部材と、
前記移動部材の左上部、右上部の夫々に対してその一端が回動可能に取り付けられた左腕部、右腕部と、
前記移動部材の左下部、右下部の夫々に対してその一端が回動可能に取り付けられ、かつ閉方向に付勢する付勢部材を介して接続された左脚部、右脚部と、を備えた人形玩具であって、
前記左腕部、右腕部は、夫々の中間部が前記胴体部に対して回動可能に取り付けられており、
前記顔面部が下方へ摺動される際に、前記顔面部の両側部は、前記左腕部、右腕部の他端側と当接して、前記左腕部、右腕部の夫々を前記中間部周りに下方へ回動させ、
前記移動部材は、前記左腕部、右腕部の下方への回動に伴い、前記胴体部内を上方へ移動し、
前記左脚部、右脚部は、前記移動部材の上方への移動に伴い、上方へと移動し、閉方向に回動し、前記移動部材の下方への移動に伴い、下方へと移動し、前記胴体部上において前記左脚部と右脚部との間に取り付けられた傾斜面を有する形状部に当接することで開方向に回動し、
前記顔面部は、最下方に位置したときに、前記胴体部、前記左腕部、右腕部、前記左脚部、右脚部をその内部に収納することを特徴とする人形玩具。
【発明の詳細な説明】
【技術分野】
【０００１】
本発明は、人形玩具に係り、特に四肢の出し入れを行う機構を簡単に実現可能にした人形玩具に関する。
【背景技術】
【０００２】
テントウ虫の形に模した開閉自在な蓋体を設けた腕時計が実用化されている。
【０００３】
一方、本願出願人は、顔を模したカバー体を腕時計の文字盤を覆う位置と、文字盤が表れる位置との間で移動するように構成された人形を模した腕時計を提案している。具体的には、この腕時計によれば両脚部を模した係止部材によって上記のカバー体を係止状態に維持することで、腕時計の文字盤を覆う位置に保持する構成を備えている。そして、係止部材を指先で操作すると、カバー体の係止状態が解除されて、カバー体がコイルスプリングの圧縮力によって移動されることで、文字盤が現れる位置に移動されるとともに、カバー体の移動に伴う分力を利用して両腕部が左右に広がるように構成されている。（特許文献１）
【特許文献１】実公平５−４８１４８号公報  しかしながら、上記の特許文献１になる構成によれば、特に、両脚部は係止部材として機能する事情から、顔を模したカバー体の下方から両脚部が常時露出している。また、両腕部も、カバー体から常時露出していた。このために、その意外性は予想の範囲内に留まるものであった。
【０００４】
そこで、顔を模した顔部品（カバー体）が下方に移動して係止位置にあるときに両腕部と両脚部をほぼ完全に覆い、係止状態を解除して上方に移動すると、両腕部と両脚部の双方が左右に広がると、その意外性を大きく向上することができる。しかし、このように構成するためには、かなり複雑かつ煩雑な機構が必要となる。また、場合によっては、電動モータなどの動力源が必要となる。
【発明の開示】
【発明が解決しようとする課題】
【０００５】
したがって、本発明は上記の事情に鑑みてなされたものであり、顔を模した顔部品を下方に移動させると、両腕部と両脚部をほぼ完全に覆うことができ、かつ顔部品を上方に移動させると、両腕部と両脚部の双方が左右に広がる機構を単純化でき、より趣向性を向上することのできる人形玩具の提供を目的としている。
【課題を解決するための手段】
【０００６】
上記の目的を達成するために本発明に係る人形玩具は以下のような構成を備える。即ち、
胴体部と、胴体部表面上を上下方向に移動可能な顔面部と、
前記胴体部内を上下方向に移動可能であり、かつ前記顔面部と弾性部材を介して接続された移動部材と、
前記移動部材の左上部、右上部の夫々に対してその一端が回動可能に取り付けられた左腕部、右腕部と、
前記移動部材の左下部、右下部の夫々に対してその一端が回動可能に取り付けられ、かつ閉方向に付勢する付勢部材を介して接続された左脚部、右脚部と、を備えた人形玩具であって、
前記左腕部、右腕部は、夫々の中間部が前記胴体部に対して回動可能に取り付けられており、
前記顔面部が下方へ摺動される際に、前記顔面部の両側部は、前記左腕部、右腕部の他端側と当接して、前記左腕部、右腕部の夫々を前記中間部周りに下方へ回動させ、
前記移動部材は、前記左腕部、右腕部の下方への回動に伴い、前記胴体部内を上方へ移動し、
前記左脚部、右脚部は、前記移動部材の上方への移動に伴い、上方へと移動し、閉方向に回動し、前記移動部材の下方への移動に伴い、下方へと移動し、前記胴体部上において前記左脚部と右脚部との間に取り付けられた傾斜面を有する形状部に当接することで開方向に回動し、
前記顔面部は、最下方に位置したときに、前記胴体部、前記左腕部、右腕部、前記左脚部、右脚部をその内部に収納することを特徴としている。
【発明の効果】
【０００７】
本発明によれば、顔を模した顔部品を下方へと移動させることによって両腕部と両脚部をほぼ完全に収納することができ、かつ顔部品が上方に移動すると、両腕部と両脚部の双方が左右に広がるような機構を簡単な構成で実現することができる。
【発明を実施するための最良の形態】
【０００８】
以下に、本発明の一実施形態であって、特に男児用の腕時計として構成した事例について添付の各図面を参照して述べる。
【０００９】
ここで、本発明の人形玩具は、この腕時計の他に、首に掛けるように構成されたペンダントやアクセサリー類または筆記具のキャップ等としても構成できることになる。また、腕時計機能を排除した、より廉価なタイプ、または腕時計機能を行うための時計モジュールに代えて電卓機能、照明機能、ブザー機能を行う電子モジュールを内蔵して構成しても良いことは言うまでもない。
【００１０】
さらに、人形としては男児用のキャラクタの他に、女児用のキャラクタまたは各種動物類を模して構成しても良い。また、大きさ及び使用素材は、使用目的に応じて適宜設定されるが、強度及び使用条件から主に樹脂成形部品と金属部品が適宜用いられて完成されることになる。
【００１１】
図１は、人形玩具１の一構成例を図示した立体分解図である。本図を参照して最初に概略説明を行う。
【００１２】
この人形玩具１は、少なくとも胴体部と顔面部からなる。胴体部は、その基部となる主胴体部品３と、主胴体部品３に被せられる胴体蓋部品１１と、胴体蓋部品１１にかぶせられる胴体カバー部品１６とからなる。胴体蓋部品１１は、主胴体部品３に被せられてから、胴体カバー部品１６に対して長皿ネジ１８、１８を用いて共締め固定される。
顔面部は、顔面部品２を有する。顔面部品２は、胴体部となる胴体カバー部品１６の表面１６ａ上を直線状に往復移動可能に設けられている。以後、本実施例においては、顔面部品２が胴体カバー部品１６を覆う方向への移動を「下方向への移動」とし、顔面部品２から胴体カバー部品１６が露出する方向への移動を「上方向への移動」と呼ぶこととし、「上下方向」とは、顔面部品２の往復移動方向に略平行な方向を指すものとする。
【００１３】
また、胴体カバー部品１６の表面１６ａの存する方向を「表方向」、反対を「裏方向」と呼ぶことにする。この顔面部品２は、後述する両腕部品、両脚部品を収納できるように大型の丸顔形状を有しており、内部は中空に形成されるとともに大きな開口部２ｃを有している。
【００１４】
次に、人形玩具１は、胴体カバー部品１６の下方に、顔面部品２を胴体カバー部品１６の表面１６ａを覆う位置で係止するための係止部となる係止部品１４を備えている。すなわち、この係止部品１４は、主胴体部品３と胴体蓋部品１１との間に内蔵される。
【００１５】
また、人形玩具１は、顔面部品２に対して弾性部材である第１圧縮コイルバネ６を介して接続され、胴体部の内部（具体的には、主胴体部品３と胴体蓋部品１１の間）で上下方向に移動可能に設けられた板状の移動部材５を備えている。
【００１６】
さらに、この移動部材５の左上部、右上部の夫々に対してその一端が上方および下方へと回動可能に取り付けられた左腕部となる左腕部品７と、右腕部となる右腕部品８を備えている。また、この移動部材５の左下部、右下部の夫々に対してその一端が上方および下方へと回動可能に取り付けられた左脚部となる左脚部品９と、右脚部となる右脚部品１０を備えている。なお、ここでいう「左」、「右」とは人形玩具１にとっての「左」「右」ではなく、人形玩具１を表方向から見た場合の「左」、「右」を言う。
【００１７】
また、人形玩具１は、顔面部品２を上記の主胴体部品３に対して上下方向に移動可能となるように固定するために、顔面部品２に対して、主胴体部品３を挟んで裏側から取り付けられる、左顔面固定部品１９と、右顔面固定部品２０とを備えている。左顔面固定部品１９は、その下部にピン１９ａ、左側部に側壁（当接面）１９ｂと取り付け孔１９ｃを有している。また、右顔面固定部品２０は、その下部にピン２０ａ、右側部に側壁（当接面）２０ｂと取り付け孔２０ｃを有している。
【００１８】
以上のように、ネジ、コイルバネを除いたわずか合計１２個の部品を用いることで、顔面部品２を下方へと移動させることによって両腕部と両脚部をほぼ完全に覆うことができ、かつ顔面部品２を上方へと移動させると、両腕部と両脚部の双方が左右に広がる機構を簡単な構成で実現できた。
【００１９】
次に、上記の説明に加えて詳細な構成説明を行う。
【００２０】
先ず、主胴体部品３には、上記の移動部材５の底面となる摺接面５ａを上下方向（図面では左斜め上と右斜め下方向）に案内するための、平滑な摺接面３ａが左右壁部３ｂ、３ｂの間に形成されている。また、左右壁部３ｂ、３ｂは、移動部材５の左右壁面５ｂ、５ｂを、所定クリアランスで摺動して案内する。なお、本実施例において、移動部材５は主胴体部品３に対して摺接しているが、必ずしも摺接している必要はなく、安定して上下方向に移動可能とされていれば良い。
【００２１】
この主胴体部品３には、左右壁部３ｂ、３ｂと平行となる左右貫通溝部３ｃ、３ｃと、上記の摺接面３ａの下方部位において左右傾斜面４ａ、４ｂを形成した台形部４が突出形成されている。さらに、この主胴体部品３の下部には、上記の係止部品１４の取り付け基部となるとともに、取り付け孔３ｇ、３ｇを穿設したフランジ部３ｆが設けられている。。また、主胴体部品３の上部には、不図示の時計ベルトを挿通するために摺接面３ａの上縁部から延設されたベルト固定孔部３ｈが設けられている。また、主胴体部品３の下部裏面にも、摺接面３ａの下縁部から延設されたベルト固定孔部３ｈが設けられている。また摺接面３ａの左上部、右上部にはそれぞれスタッド部３ｋ、３ｋが突設されている。主胴体部品３と、フランジ部３ｆ、ベルト固定孔部３ｈ、３ｈ、スタッド部３ｋ、３ｋとは図示のように一体成形されている。
【００２２】
次に、左腕部品７、右腕部品８は、裏方向に突設された軸支部７ａ、８ａが上記の移動部材５の左上部の孔部５ｅと右上部の孔部５ｄに対して回動可能に取り付けられる。また、左脚部品９、右脚部品１０において裏方向に突設された軸支部９ａ、１０ａは、移動部材５の左下部の孔部５ｆ、右下部の孔部５ｇに対して回動可能に取り付けられる。さらに、左腕部品７、右腕部品８の夫々の中間部に設けられた、表方向に突設する軸支部７ｂ、８ｂについては、図示のように胴体蓋部品１１に左右一対分が斜めに穿設された長孔部１１ｇ、１１ｇの夫々に挿入され、回動可能に支持される。
【００２３】
また、中空状に形成された顔面部品２の上部内側には、スタッド部２ｂが下方に突出するように設けられている。また、移動部材５の上部にも、上方に突出するように設けられたスタッド部５ｃが設けられている。スタッド部２ｂとスタッド部５ｃは、顔面部品２と移動部材５を第１圧縮コイルバネ６を介して接続するために、その外形寸法とは、第１圧縮コイルバネ６のバネ内径寸法と略等しく形成されている。第１圧縮コイルバネ６は、スタッド部２ｂとスタッド部２ｃによって、顔面部品２と移動部材５の間で後述する自然状態と圧縮状態の間で保持されるように組み付けられる。
【００２４】
顔面部品２を胴体カバー部品１６の表面１６ａの位置で係止するための係止部となる係止部品１４は、胴体蓋部品１１の下部に設けられ、表方向に膨出した中空状の容積部１１ａの内部にセットされる。この係止部品１４には、表方向に突設された係止爪部１４ａと裏方向に突設されたスタッド部１４ｂとが一体成形されている。係止部品１４は、容積部１１ａに穿設された星形の開口部１１ｃ中に容積部１１ａの裏側から挿入される。また、スタッド部１４ｂは圧縮コイルバネ１５に挿通される。
【００２５】
係止部品１４は、その表側に存する星形の押圧面１４ｃが開口部ｃから表方向に突出し、かつ係止爪部１４ａが容積部１１ａの上部に穿設された凹部１１ｋから表方向に突出するようになっている。胴体蓋部品１１が主胴体部品３に被せられると、係止部品１４は、主胴体部品３のフランジ部３ｆの表面に置かれる。圧縮コイルバネ１５はフランジ部３ｆと係止部品１４の裏側の間に挟持され、係止部品１４の押圧面１４ｃが開口部ｃから突出するように係止部品１４を付勢する。また、胴体蓋部品１１の中空状の容積部１１ａの内部には、スタッド部１１ｄ、１１ｄが設けられており、胴体蓋部品１１は、容積部１１ａ内に係止部品１４が内蔵されるようにして主胴体部品３に被せられた後、主胴体部品３のフランジ部３ｆに穿設された取り付け孔３ｇ、３ｇに挿通されたセルフタッピング皿ネジ１３、１３が胴体蓋部品１１のスタッド部１１ｄ、１１ｄの夫々に螺合することにより、主胴体部品３に固定される。
【００２６】
係止爪部１４ａは、顔面部品２が胴体カバー部品１６を覆う位置まで下方に移動したとき、顔面部品２の下部に設けられた開口部２ｃの、表側の壁部２ｄの内面に係合して、顔面部品２をその位置にて係止可能となっている。このとき、第１圧縮コイルバネ６は圧縮され、弾性力が蓄積される。また、圧縮コイルバネ１５の弾性力に抗して係止部品１４の押圧面１４ｃを押圧操作すると、係止爪部１４ａも係止部品１４とともに移動して壁部２ｄの内面との係合が外れ、、係止部品１４による顔面部品２の係止を解除できる。すると、顔面部品２は第１圧縮コイルバネ６の弾性力により上方へと移動する。
【００２７】
また、顔面部品２を第１圧縮コイルバネ６の弾性力に抗して下方に移動すると、係止爪部１４ａの表側先端部に設けられた傾斜面が、顔面部品２の壁部２ｄの角部に突き当たり、係止爪部１４ａを裏方向に移動する分力が発生して、係止爪部１４ａは裏方向に移動する。その後、圧縮コイルバネ１５の弾性力により、表方向に再び移動し、凹部１１ｋから突出して、顔面部品２を係止した係止状態に復帰する。
【００２８】
胴体カバー部品１６には、２本のスイッチボタン１２により操作される時計モジュール３０が内蔵されている。このために、胴体蓋部品１１には、２本のスイッチボタン１２を案内する案内溝１１f、１１fが、また、胴体カバー部品１６には切欠き部１６ｆ、１６ｆが図示のように形成されている。さらに、この胴体カバー部品１６の表面１６ａには、顔面部品２が上方に移動されたときに、それ以上の移動を防止するために壁部２ｄの内面に突き当たる凸部１６ｂが表方向に突出形成されている。また、この胴体カバー部品１６には、時計モジュールの文字盤の表示をする開口部１６ｋと、上記の共締めのための雌ネジ部１６ｃ、１６ｃがさらに形成されている。
【００２９】
顔面部品２には破線図示の雌ネジスタッド部２ｆ、２ｆがさらに形成されており、上記の左顔面固定部品１９は、左顔面固定部品１９に設けられたピン１９ａを主胴体部品３に設けられた溝部３ｃに挿通した後に、取り付け孔１９ｃに挿通したセルフタッピング皿ネジ１３を、顔面部品２に設けられた一方の雌ネジスタッド部２ｆに螺合することによりして顔面部品２に固定される。
【００３０】
同様に、右顔面固定部品２０も顔面部品２に固定される。このように、左顔面固定部品１９、右顔面固定部品２０に設けられたピン１９ａ、２０ａが、主胴体部品３の溝部３ｃ、３ｃに上下方向に摺動可能となるように挿通されていることから、顔面部品２は胴体部に対して上下方向に移動可能となるように固定されることになる。次に、以上のようにして完成した人形玩具１の操作乃至動作説明を行う。
【００３１】
図２は、顔面部品２が下方に移動しその内部に両腕部品、両脚部品を収納した収納位置に位置している状態を図示した模式図である。本図において、既に説明済みの構成または部品については同様の符号を附して説明を割愛すると、図中において破線で図示した顔面部品２は、係止部材１４の係止爪部１４ａが顔面部品２の開口部２ｃの表側の壁部２ｄの内面に対して係合し、収納位置にて係止された状態となっている。このとき、第１圧縮コイルバネ６は圧縮されており、移動部材５を下方に付勢している。
【００３２】
一方、移動部材５の左上部、右上部の夫々に対して、その一端が上方または下方へと回動可能に取り付けられた左腕部品７、右腕部品８は、図１に図示されたように上記の左顔面固定部品１９の当接面（側壁）１９ｂと、右顔面固定部品２０の当接面（側壁）２０ｂとがそれぞれにおける他端側に当接することで、中間部となる軸支部７ｂ、８ｂ周りに夫々下方（矢印方向）に回動させられる。このことにより、左腕部品７、右腕部品８は、顔面部品２の内部に収納される。また、左腕部品７、右腕部品８がそれぞれ中間部となる軸支部７ｂ、８ｂ周りに回動することにより、それぞれの一端に設けられた軸支部７ａ、８ａは上方に移動する。軸支部７ａ、８ａが上方へと移動することに伴い、移動部材５も第１圧縮コイルバネ６の弾性力に抗して上方に移動することになる。
【００３３】
また、移動部材５の左下部、右下部の夫々に対して、その一端が上方または下方へと回動可能に取り付けられた左脚部となる左脚部品９および右脚部となる右脚部品１０は、移動部材５が上方へと移動することにより、軸支部９ａ、１０ａも上方へと移動するため、左脚部品９、右脚部品１０全体が上方へと移動する。このことにより、左脚部品９、右脚部品１０は、顔面部品２の内部に収納されることになる。なお、本実施例では、左脚部品９と右脚部品１０の間には、各脚部を閉じる方向に付勢する付勢部材のトーションバネ４０が設けられており、移動部材５が上方へ移動するに伴い、閉脚状態に回動することを補助している。しかしながら、このトーションバネ４０は必須ではない。
【００３４】
次に、図３は、顔面部品２が上方に移動し、両腕部品、両脚部品が開いた状態とされた開放位置に位置している状態を図示した模式図である。本図において、既に説明済みの構成または部品については同様の符号を附して説明を割愛すると、図中において破線で図示した顔面部品２は、係止部材１４の係止爪部１４ａが顔面部品２の開口部２ｃの表側の壁部２ｄの内面に対して係合することにより、収納位置にて係止されていた状態から、係止部材１４の押圧操作によって係止爪部１４ａと壁部２ｄの係合が解除され、第１圧縮コイルバネ６の弾性力により、上方へ移動した状態になっている。このとき、第１圧縮コイルバネ６の弾性力によって、移動部材５は主胴体部品３の摺接面３ａ上の最下方の位置に移動する。
【００３５】
移動部材５が、下方へ移動することにより、左腕部品７、右腕部品８それぞれの一端に設けられた軸支部７ａ、８ａも下方へと移動する。すると、左腕部品７、右腕部品８は、中間部となる軸支部７ｂ、８ｂ周りに上方へと（矢印方向）回動させられる。
【００３６】
一方、移動部材５の左下部、右下部の夫々に対して、その一端が上方または下方へと回動可能に取り付けられた左脚部となる左脚部品９および右脚部となる右脚部品１０とは、移動部材５の下方への移動に伴い、左脚部品９、右脚部品１０の一端に設けられた軸支部９ａ、１０ａも下方に移動することにより、左脚部品９、右脚部品１０全体も下方へと移動する。すると、形状部４の傾斜面４ａ、４ｂが、左脚部品９、右脚部品１０それぞれの内側面に摺接することによって、各脚部は開く方向、すなわち上方へと回動される。
【００３７】
なお、図４(ａ)の、図１の人形玩具１の顔面部品２が収納位置にある正面図と、図４(ｂ)の人形玩具１の顔面部品２が開放位置にある正面図に示したように、本願発明の人形玩具１に時計バンド２５を設けた時計玩具として構成しても良い。この場合も、人形玩具１同様に、装着後に係止部品１４を押圧操作すれば、顔面部品２によって左右腕部品７、８、左右脚部品９、１０が収納された状態から、左右腕部品７、８、左右脚部品９、１０が広がって開放された状態に変化させることができる。
【００３８】
また、時計文字盤を胴体部に設けたならば、係止部品１４を押圧操作し、顔面部品２を開放位置に移動させることにより、時計文字盤が露出するようになるので、時間の確認の都度、顔面部品２によって左右腕部品７、８、左右脚部品９、１０が収納された状態から、左右腕部品７、８、左右脚部品９、１０が広がって開放された状態に変化させることになり、興趣性の高い時計玩具となる。
【図面の簡単な説明】
【００３９】
【図１】本発明の一実施形態になる人形玩具１を示す立体分解図である。
【図２】顔面部品２が収納位置に位置している状態を図示した模式図である。
【図３】顔面部品２が解放位置に位置している状態を図示した模式図である。
【図４】(ａ)は、図１の人形玩具１の顔面部品２が収納位置にある正面図、(ｂ)は、図１の人形玩具１の顔面部品２が開放位置にある正面図である。
【符号の説明】
【００４０】
１  人形玩具
２  顔面部品
３  主胴体部品
４  台形部
５  移動部品
６  第１圧縮コイルバネ
７  左腕部品
８  右腕部品
９  左脚部品
１０  右脚部品
１１  胴体蓋部品
１４  係止部品
１５  圧縮コイルバネ
２５  時計バンド
３０  時計モジュール
４０  トーションバネ
【図１】
0004490476.tif 000002
【図２】
0004490476.tif 000003
【図３】
0004490476.tif 000004
【図４】
0004490476.tif 000005